(57)【要約】【課題】組み立てを簡易に行い、組み立て後の変圧器の取り扱いの間違いを防ぎ、カバーの歪みを抑え、十分な密封構造を有する変圧器を得ること。【解決手段】電磁部５に立設した連結杆７の先端部に第１ナット９を螺着し、調整用穴１ａを有したカバー１を第１ナット９の上から連結杆７に貫通し、カバー１の外面側から連結杆７の先端部に吊手部材を螺着し、吊手部材を介してカバー１および電磁部５を吊り上げて当該電磁部５をタンク２に挿入し、吊手部材を連結杆７から外し調整用穴１ａから第１ナット９を回転操作してタンク２を塞ぐべきカバー１の位置を調整し、カバー１の外面側から連結杆７の先端部に第２ナット１０を螺着して当該第２ナット１０と第１ナット９との間でカバー１を挟んで当該カバー１を連結杆７に固定し、カバー１をタンク２に固定する。【選択図】      図１
2005026293.tif 000002
【特許請求の範囲】
【請求項１】
カバーに連結した変圧器中身をタンクに挿入して前記カバーで前記タンクを塞いでなる変圧器において、
前記変圧器中身に立設して先端部が前記カバーに貫通する連結杆と、
前記連結杆の先端部に螺着して前記カバーの内面側に位置する第１ナットと、
前記連結杆の先端部に螺着して前記カバーの外面側に位置する吊手部材と、
前記カバーに設けられて前記第１ナットを当該カバーの外面側から回転操作し得る調整用穴と、
前記吊手部材に換えて前記連結杆に螺着して前記第１ナットとの間で前記カバーを挟んで当該カバーを前記連結杆に固定する第２ナットと
を備えたことを特徴とする変圧器。
【請求項２】
カバーに連結した変圧器中身をタンクに挿入して前記カバーで前記タンクを塞いでなる変圧器において、
前記変圧器中身に立設して先端部が前記カバーに貫通する連結杆と、
前記連結杆の先端部に螺着して前記カバーの内面側に位置する第１ナットと、
前記カバーに設けられて前記第１ナットを当該カバーの外面側から回転操作し得る調整用穴と、
前記連結杆の先端部に螺着して前記カバーの外面側に位置し前記第１ナットとの間で前記カバーを挟んで当該カバーを前記連結杆に固定する第２ナットと
を備え、前記第２ナットは、前記連結杆の先端部を被覆する被覆部を一体に有し、前記連結杆を挿通して前記カバーの外面に接触するＯリングを嵌挿してなることを特徴とする変圧器。
【請求項３】
前記第２ナットの被覆部には、前記連結杆の先端と被覆部との間に圧縮された弾性力を生じる弾性部材が内装してあることを特徴とする請求項２に記載の変圧器。
【請求項４】
カバーに連結した変圧器中身をタンクに挿入して前記カバーで前記タンクを塞いでなる変圧器の組立方法において、
前記変圧器中身に立設した連結杆の先端部に第１ナットを螺着する工程と、
調整用穴を有した前記カバーを前記第１ナットの上から前記連結杆に貫通する工程と、
前記カバーの外面側から前記連結杆の先端部に吊手部材を螺着する工程と、
前記吊手部材を介して前記カバーおよび前記変圧器中身を吊り上げて当該変圧器中身を前記タンクに挿入する工程と、
前記吊手部材を前記連結杆から外し調整用穴から前記第１ナットを回転操作して前記タンクを塞ぐべき前記カバーの位置を調整する工程と、
前記カバーの外面側から前記連結杆の先端部に第２ナットを螺着して当該第２ナットと前記第１ナットとの間で前記カバーを挟んで当該カバーを前記連結杆に固定する工程と、
前記カバーを前記タンクに固定する工程と
を含むことを特徴とする変圧器の組立方法。
【発明の詳細な説明】
【０００１】
【発明の属する技術分野】
本発明は、変圧器中身をタンク内に配置してなる変圧器に関し、特に、変圧器中身をタンクのカバーに結合してタンク内に収容する変圧器およびその組立方法に関するものである。
【０００２】
【従来の技術】
従来、巻線と鉄心からなる電磁部を含む変圧器中身をタンクのカバーに連結杆にて結合してタンク内に収納する変圧器が知られている。この種の変圧器は、カバーの上面にカバーとともに変圧器中身を吊り上げるための吊手部材が溶接などにより固着されており、カバーの下面には連結杆を固定するためにナットが溶接などにより固着されている。変圧器中身とカバーを結合するために電磁部に上部クランプが設けられている。上部クランプには、連結杆の端部を貫通させる孔が穿設されており、一対のナットにより連結杆の端部が固定されている。組立方法は、カバーに溶接により固着されたナットに連結杆の一端を固定し、連結杆の他端を上部クランプの孔に通し、スケールを用いて連結杆のネジ部の長さを予め定められた所定値になるように一対のナットを調整しながら螺合する。前記のようにして電磁部とカバーとが連結杆により一体となった中身を、クレーンなどを用いて、カバー上部に溶接などの方法で固着された吊手部材により中身全体を吊り上げ、タンク内に挿入し、カバーをボルトなどで締め付け後、タンク内に絶縁油を封入して変圧器完成品となる。
【０００３】
変圧器中身あるいはタンクに生じるわずかな製作誤差により、変圧器中身の高さ調整を実施する際に、再度カバー上面の吊手部材を用いて変圧器中身をクレーンなどにより吊り上げて、連結杆と上部クランプを固定している一対のナット部分を調整する。
【０００４】
また、変圧器中身あるいはタンクに生じるわずかな製作上の誤差を連結部で吸収するために実施する、変圧器中身単体をタンクに仮挿入する作業と、連結位置を確認する作業をなすことを課題としたものがある（例えば、特許文献１参照）。
【０００５】
【特許文献１】
特開平１１−２８３８４２号公報
【０００６】
【発明が解決しようとする課題】
しかしながら、上記従来の変圧器では、変圧器中身をカバーに連結するときにナットを締め付けてある。すなわち、従来の変圧器では、変圧器中身をタンクに挿入する以前に、カバーがタンクを密閉し得る位置となるように変圧器中身とカバーとの連結位置を設定しておく。そして、変圧器中身をタンクに挿入したときに製作誤差があることが初めて分かりこれを調整している。このように、従来の変圧器では、変圧器中身をタンクに挿入する前と、変圧器中身をタンクに挿入した後でそれぞれカバーの位置を調整することになり、組み立て作業が煩雑であるという問題がある。
【０００７】
また、従来の変圧器では、カバーに連結した変圧器中身をタンクに挿入するときにクレーンで吊り上げる際に、当該クレーンを連結する吊手部材が必要になる。この吊手部材は、一般にカバーの上面に固定されることが多い。この吊手部材は、変圧器中身とタンクを一体にした変圧器全体を吊り上げるには強度的に不十分であり使用できない。変圧器全体を吊り上げるにはタンクに固定した別の吊手部材を使用する。このため、完成した変圧器には、２種類の吊手部材が存在することになり、変圧器全体を吊り上げる際にカバーに固定した吊手部材が間違えて使用されるおそれがあった。
【０００８】
さらに、吊手部材をカバーに固定した場合に変圧器中身の荷重がカバーにかかるのでカバーに歪みが生じるおそれがある。また、吊手部材をカバーに溶接して固定する場合では、カバーに溶接時の熱による歪みが発生する。このような場合では、歪み取りの処理に多大な時間を要するという問題がある。
【０００９】
また、特許文献１に参照する変圧器では、締め付け用ナットの緩みを防止するために、締め付けナットとは別体のバネ座金を要している。このため、変圧器の組み立て時にボルト、連結部材およびバネ座金など複数の別体の部品を組み付けるので、これも作業が煩雑になる要因であった。さらに、バネ座金では、連結穴の気密性を確保することができないと言う問題がある。
【００１０】
本発明は、上記に鑑みてなされたものであって、組み立てを簡易に行うことができ、また組み立て後の変圧器の取り扱いの間違いを防ぐことができ、またカバーの歪みを抑えることができる変圧器およびその組立方法を得ることを目的とする。加えて本発明は、十分な密封構造を有した変圧器を得ることを目的とする。
【００１１】
【課題を解決するための手段】
上述した課題を解決し、目的を達成するために、本発明にかかる変圧器にあっては、カバーに連結した変圧器中身をタンクに挿入して前記カバーで前記タンクを塞いでなる変圧器において、前記変圧器中身に立設して先端部が前記カバーに貫通する連結杆と、前記連結杆の先端部に螺着して前記カバーの内面側に位置する第１ナットと、前記連結杆の先端部に螺着して前記カバーの外面側に位置する吊手部材と、前記カバーに設けられて前記第１ナットを当該カバーの外面側から回転操作し得る調整用穴と、前記吊手部材に換えて前記連結杆に螺着して前記第１ナットとの間で前記カバーを挟んで当該カバーを前記連結杆に固定する第２ナットとを備えたことを特徴とする。
【００１２】
この発明によれば、変圧器中身をタンクに挿入する前では、変圧器中身とカバーとが第１ナットおよび吊手部材で固定される。そして、変圧器中身をタンクに挿入するときに吊手部材にクレーンなどを連結してカバーとともに変圧器中身を吊り上げて当該変圧器中身をタンクに挿入する。吊手部材は、変圧器中身をタンクに挿入した後に取り外されて第２ナットに換える。そして、第２ナットを締め付ける前にカバーがタンクを密閉し得る位置となるように調整用穴から第１ナットの位置を調整する。このため、変圧器中身をタンクに挿入した後だけ、タンクを密閉する態様にカバーの位置の調整を行えばよく組立を簡易に行うことができる。また、変圧器中身をタンクに挿入した後では、吊手部材が取り外されているので完成した変圧器全体を吊り上げる際に吊手部材を間違えて使用することがない。また、吊手部材は、連結杆に螺着してあるため、カバー側に変圧器中身を吊り下げる荷重がかからないのでカバーに歪みを生じさせるおそれがない。また、吊手部材をカバーに溶接で固定しないので、カバーに溶接時の熱による歪みが発生することがない。
【００１３】
【発明の実施の形態】
以下、本発明にかかる変圧器の実施の形態を図面に基づいて詳細に説明する。なお、この実施の形態によりこの発明が限定されるものではない。
【００１４】
図１は本発明の変圧器の実施の形態を示す正面断面図、図２は第２ナットを示す一部裁断側面図、図３は第２ナットを示す断面図、図４（ａ）はカバーと電磁部とを組み合わせた状態を示す正面断面図、図４（ｂ）は連結杆にカバーを貫通した状態を示す拡大断面図である。
【００１５】
図１に示すように変圧器は、カバー１によってタンク２の上部開口が塞がれた内部に、巻線３および鉄心４などからなる変圧器中身をなす電磁部５を収容してある。
【００１６】
電磁部５の上側には、板金などからなる板状のクランプ部６が取り付けてある。クランプ部６は、電磁部５に対して鉄製バンド６ａあるいはボルト締め（図示せず）などによって固定してある。このクランプ部６には、連結杆７が立設してある。連結杆７は、両端部に雄ネジを有しており、その基端部をクランプ部６に貫通している。そして、連結杆７は、基端部に螺着した一対のナット８によってクランプ部６を挟むことによりクランプ部６に固定される。このようにして連結杆７が電磁部５側に立設される。
【００１７】
連結杆７の先端部は、カバー１に貫通してある。また、連結杆７の先端部の雄ネジには、第１ナット９と第２ナット１０とが螺着してある。第１ナット９は、一般に使用されているナットと同様であり、カバー１の内面側に位置してある。第２ナット１０は、カバー１の外面側に位置してある。すなわち、第１ナット９および第２ナット１０は、その間にカバー１を挟んで当該カバー１を連結杆７の先端部に固定している。このように、電磁部５は、連結杆７を介してカバー１に取り付けてある。なお、連結杆７は、複数（本実施の形態では２箇所）設けてある。
【００１８】
図２に示すように第２ナット１０は、連結杆７の先端部を被覆する被覆部１０ａを一体に有する、いわゆる袋ナットを構成している。なお、被覆部１０ａは、後にタンク２の上部開口に対するカバー１の位置調整を行うために連結杆７の先端から調整用の間隔を十分に得る空間を有している。また、第２ナット１０は、カバー１の外面側に向く開口部分において、連結杆７の雄ネジに螺合する雌ネジ穴の外周に無端状の溝１０ｂを形成してある。この溝１０ｂには、Ｏリング１１を嵌挿してある。
【００１９】
図３に示すように第２ナット１０の被覆部１０ａ内には、弾性部材１２が内装してある。弾性部材１２は、例えば図３で示す圧縮バネあるいはゴム材（図示せず）などからなる。この弾性部材１２は、第２ナット１０を連結杆７の先端部に螺着した時に、連結杆７の先端と被覆部１０ａとの間で圧縮されて、連結杆７の先端および被覆部１０ａの内壁に圧縮された弾性力を生じる。
【００２０】
図１に示すようにカバー１の外面側には、一対のブッシング１３がボルト１４で固定してある。各ブッシング１３を固定するボルト１４のネジ部１４ａは、カバー１の内面側に貫通している。このネジ部１４ａには、一端が電磁部５のリード部（図示せず）に電気的に接続した導体板１５の多端が挿入してナット１６で固定してある。
【００２１】
また、カバー１には、調整用穴１ａが設けてある。この調整用穴１ａは、カバー１の内外を連通し、カバー１を通してタンク２内に人手を差し入れられる大きさに穿設してある。なお、調整用穴１ａは、蓋部１７によって適宜密閉してある。
【００２２】
このように構成したカバー１は、タンク２の上部開口を塞ぐ態様でタンク２に固定してある。なお、タンク２の側部には、総体吊手部材１８が設けてある。この総体吊手部材１８は、クレーンなどに連結され、上記のごとく当該タンク２の内部に電磁部５を収容しカバー１を固定した状態の完成した変圧器全体を吊り上げるために用いられる。
【００２３】
以下、上記構成の変圧器の組立方法を説明する。まず、タンク２の外部において巻線３と鉄心４とを組み合わせてなる電磁部５にクランプ部６を固定する。一方、カバー１側では、ボルト１４とナット１６とによってブッシング１３および導体板１５を上記のごとく固定し、電磁部５のリード線（図示せず）に導体板１５の一端を電気的に接続する。その後、連結杆７の基端部をクランプ部６に貫通し、各ナット８を用いて連結杆７をクランプ部６に固定する。
【００２４】
つぎに、連結杆７の先端側に第１ナット９を螺着する。連結杆７への第１ナット９の螺着位置は、スケール（図示せず）を用いて所定値位置にすることが好ましいが、電磁部５の外形およびタンク２の深さなどの製作誤差による寸法のバラツキによってカバー１の内側周縁がタンク２の上部開口縁に十分に押し付けられない場合を想定して上記所定値位置に近似する位置にしておけばよい。
【００２５】
つぎに、カバー１を第１ナット９の上から連結杆７の先端部に貫通する。これにより、図４（ａ）に示すようにカバー１の貫通穴１ｂに連結杆７が貫通し、当該カバー１の内面が第１ナット９の上端で支持されることになる。
【００２６】
つぎに、カバー１の外面側から連結杆７の先端部に吊手部材１９を螺着する。本実施の形態における吊手部材１９は、図４（ｂ）に示すように連結杆７の雄ネジに螺着する部分と、後にクレーンなど（図示せず）が連結する環状部分とを有した、いわゆるアイナットをなしている。
【００２７】
つぎに、吊手部材１９にクレーンなどを連結し、カバー１と一体とした変圧器中身をなす電磁部５を吊り上げてタンク２内に挿入し、カバー１をタンク２に被せる。
【００２８】
つぎに、吊手部材１９を連結杆７から外し、調整用穴１ａから手を入れて第１ナット９を回転操作してタンク２を塞ぐべきカバー１の位置を調整する。これにより、電磁部５の外形及びタンク２の深さなどのバラツキによってカバー１の内側周縁がタンク２の上部開口縁に十分押し付けられることが出来ない事態を解消し、カバー１の内面周縁がタンク２の上部開口縁にほどよく押し付けられることになる。この際、第１ナット９の緩み止めのために第１ナット９と連結杆７との螺着部分に接着剤類を流し込んでおく。その後、調整用穴１ａを蓋部１７で塞いで密閉する。なお、調整用穴１ａは、後に電磁部５などの点検穴として用いられる。
【００２９】
つぎに、カバー１の外面側から連結杆７の先端部に第２ナット１０を螺着して第２ナット１０と第１ナット９との間でカバー１を挟んで当該カバー１を連結杆７に固定する。このとき、第２ナット１０の被覆部１０ａは、カバー１の外面側に延出している連結杆７の先端部を被覆する。また、第２ナット１０に嵌挿したＯリング１１は、連結杆７の周りを囲むとともにカバー１の外面に接触する。これにより、連結杆７を貫通するカバー１の貫通穴１ｂが塞がれることになる。さらに、第２ナット１０の被覆部１０ａに内装した弾性部材１２は、連結杆７の先端と被覆部１０ａの内壁との間に圧縮された弾性力を生じる。これにより、第２ナット１０が緩み止めされることになる。
【００３０】
つぎに、カバー１をタンク２の上部開口に固定する。これにより、変圧器が完成する。この完成した変圧器は、組み立ての際に用いた吊手部材１９はなく、タンク２の側部に総体吊手部材１８のみがある。ゆえに、完成した変圧器全体を運ぶ際には、総体吊手部材１８をクレーンなどに連結すればよい。
【００３１】
したがって、上述した変圧器および変圧器の組立方法では、変圧器中身をなす電磁部５をタンク２に挿入する前では、電磁部５とカバー１とを第１ナット９および吊手部材１９で固定している。そして、電磁部５をタンク２に挿入するときに吊手部材１９にクレーンなどを連結してカバー１とともに電磁部５を吊り上げて電磁部５をタンク２に挿入する。吊手部材１９は、電磁部５をタンク２に挿入した後に取り外されて第２ナット１０に換える。そして、第２ナット１０を締め付ける前にカバー１がタンク２を密閉し得る位置となるように調整用穴１ａから第１ナット９の位置を調整する。
【００３２】
すなわち、電磁部５をタンク２に挿入する前では、タンク２を密閉する態様にカバー１の位置を調整する必要がなく、電磁部５をタンクに挿入した後だけ調整を行えばよいので変圧器の組立を簡易に行うことができる。
【００３３】
また、電磁部５をタンク２に挿入した後では、吊手部材１９が取り外されて第２ナット１０に換えるため、完成した変圧器に吊手部材１９がない。このため、完成した変圧器全体を吊り上げる際に吊手部材を間違えて使用することがない。
【００３４】
また、吊手部材１９は、連結杆７に螺着してあるため、カバー１側には電磁部５を吊り下げた荷重がかからないので当該カバー１に歪みを生じさせるおそれがない。また、吊手部材１９はカバー１に溶接で固定していないので、カバー１に溶接時の熱による歪みが発生することがない。この結果、カバー１の歪み取りの処理がなくなる。
【００３５】
また、吊手部材１９に換えて連結杆７に螺着する第２ナット１０は、被覆部１０ａがカバー１の外面側に延出している連結杆７の先端部を被覆し、Ｏリング１１が連結杆７の周りを囲んでカバー１の外面に接触する。このため、連結杆７を貫通するカバー１の貫通穴１ｂを塞いで当該貫通穴１ｂの部分を十分に密閉することができる。さらに、第２ナット１０は、弾性部材１２が、連結杆７の先端と被覆部１０ａの内壁との間に圧縮された弾性力を生じる。このため、第２ナット１０を緩み止めすることができる。このように、第２ナット１０は、気密性を損なうことなく緩み止めを防止する。
【００３６】
【発明の効果】
以上説明したとおり、この発明によれば、変圧器中身をタンクに挿入した後だけ、タンクを密閉する態様にカバーの位置の調整を行えばよいので組立を簡易に行うことができる。また、変圧器中身をタンクに挿入した後では、吊手部材が取り外されているので完成した変圧器全体を吊り上げる際に吊手部材を間違えて使用することがない。また、吊手部材は、変圧器中身に立設した連結杆に螺着してあるためカバー側に変圧器中身を吊り下げる荷重がかからないのでカバーに歪みを生じさせるおそれがない。さらに、吊手部材をカバーに溶接で固定しないので、カバーに溶接時の熱による歪みが発生することがないという効果を奏する。
【図面の簡単な説明】
【図１】本発明の変圧器の実施の形態を示す正面断面図である。
【図２】第２ナットを示す一部裁断側面図である。
【図３】第２ナットを示す断面図である。
【図４】（ａ）はカバーと電磁部とを組み合わせた状態を示す正面断面図であり、（ｂ）は連結杆にカバーを貫通した状態を示す拡大断面図である。
【符号の説明】
１  カバー、１ａ  調整用穴、１ｂ  貫通穴、２  タンク、３  巻線、４  鉄心、５  電磁部（変圧器中身）、６  クランプ部、６ａ  鉄製バンド、７  連結杆、８  ナット、９  第１ナット、１０  第二ナット、１０ａ  被覆部、１０ｂ溝、１１  Ｏリング、１２  弾性部材、１３  ブッシング、１４  ボルト、１４ａ  ネジ部、１５  導体板、１６  ナット、１７  蓋部、１８  総体吊手部材、１９  吊手部材。
【図１】
2005026293.tif 000003
【図２】
2005026293.tif 000004
【図３】
2005026293.tif 000005
【図４】
2005026293.tif 000006